(57)【特許請求の範囲】
【請求項１】
複数の携帯電話機の通信の制御を、エリア毎に設けられた基地局を介して行うようにした通信システムであって、
前記各基地局は、基地局毎に異なる所定周波数の電波を用いてニュース等の情報データを該当エリア内に送信する送信手段を備え、
前記携帯電話機は、自らの存在する基地局のエリアを認識し受信周波数を自動で切換えるように構成され、当該基地局から送信された情報データを受信する受信手段と、その情報データを記憶する記憶手段と、電話番号や各種のメッセージを表示する表示部とを備えると共に、待ち受け状態において所定時間キー操作がなされないときに前記表示部の画面の褪色を防止するためのスクリーンセイバーモードに自動的に移行し、そのスクリーンセイバーモードにおいて前記記憶手段に記憶されている情報データを前記表示部にスクロール表示する表示制御手段を備えることを特徴とする通信システム。
【請求項２】
前記基地局は、地域のニュースや天気予報、交通情報、イベント情報等の、該当するエリアに則した情報データを送信するように構成されていることを特徴とする請求項１記載の通信システム。
【請求項３】
前記携帯電話機は、電源オン時に前記受信手段により情報データを受信するように構成されていることを特徴とする請求項１又は２記載の通信システム。
【請求項４】
前記携帯電話機は、エリアの移動に伴う位置登録変更時に前記受信手段により情報データを受信するように構成されていることを特徴とする請求項１ないし３のいずれかに記載の通信システム。
【請求項５】
前記携帯電話機は、周辺基地局から情報データを得ることを特徴とする請求項１ないし４のいずれかに記載の通信システム。
【請求項６】
前記基地局から送信される情報データは一定時間毎に最新のものに切換えられると共に、前記携帯電話機は、一定時間毎に情報データを受信するように構成されていることを特徴とする請求項１ないし５のいずれかに記載の通信システム。
【請求項７】
前記基地局から送信される情報データは所定の時刻に最新のものに切換えられると共に、前記携帯電話機は、前記切換時刻に対応した時刻に情報データを受信するように構成されていることを特徴とする請求項１ないし５のいずれかに記載の通信システム。
【請求項８】
前記携帯電話機の表示制御手段は、使用者の操作に基づいて前記表示部のスクロール表示を任意の位置にて停止するように構成されていることを特徴とする１ないし７のいずれかに記載の通信システム。
【請求項９】
エリア毎に設けられた基地局を介して通信を行う携帯電話機であって、
自らの存在する基地局のエリアを認識し受信周波数を自動で切換える手段と、
前記基地局から送信されたニュース等の情報データを受信する受信手段と、
その情報データを記憶する記憶手段と、
電話番号や各種のメッセージを表示する表示部と、
待ち受け状態において所定時間キー操作がなされないときに前記表示部の画面の褪色を防止するためのスクリーンセイバーモードに自動的に移行し、そのスクリーンセイバーモードにおいて前記記憶手段に記憶されている情報データを前記表示部にスクロール表示する表示制御手段とを備えることを特徴とする携帯電話機。
【発明の詳細な説明】
【０００１】
【発明の属する技術分野】
本発明は、複数の携帯電話機の通信制御を、エリア毎に設けられた基地局を介して行うようにした通信システム及び携帯電話機に関する。
【０００２】
【発明が解決しようとする課題】
近年、通信端末機例えば携帯電話機等においては、表示部（ＬＣＤ）の大形化（表示の微細化）が図られ、漢字やイラスト等の多様な表示を可能としている。また、これと共に、待ち受け時間において、画面の褪色を防止するために、表示部の画面に動画（アニメーション）を表示するスクリーンセイバーの機能を備えたものも供されている。ところが、このような従来のスクリーンセイバー画面では、使用者を楽しませるようにアニメーション的な動きを伴うものの、そのパターンはさほど多く変動するものではなく、長く見ていれば当然飽きがくるものであり、使用者にとってはさほど役に立つものとはなっていなかった。
【０００３】
ところで、多忙なサラリーマンなどにおいては、新聞を読んだりテレビのニュースを見たりする暇がないことがしばしばあり、情報化社会のなかで情報を知る機会が少なくなる傾向にある。この場合、携帯電話のシステムにおいては、各種の情報が聞ける情報サービスが設けられているが、この情報サービスを利用するには、使用者が積極的に情報サービスのダイヤルに電話をかける必要があり、また、通話料（あるいは有料の情報料）もかかるものであるため、気軽に利用できるものとはなっていなかった。
【０００４】
本発明は上記事情に鑑みてなされたもので、その目的は、携帯電話機の表示部のスクリーンセイバーの機能を果たしながらも、その使用者にとって役に立つ情報を供給することができる通信システム及び携帯電話機を提供するにある。
【０００５】
【課題を解決するための手段】
本発明の通信システムは、各基地局に、基地局毎に異なる所定周波数の電波を用いてニュース等の情報データを該当エリア内に送信する送信手段を設け、携帯電話機に、自らの存在する基地局のエリアを認識し受信周波数を自動で切換えるように構成され当該基地局から送信された情報データを受信する受信手段と、その情報データを記憶する記憶手段と、電話番号や各種のメッセージを表示する表示部とを設けると共に、待ち受け状態において所定時間キー操作がなされないときに表示部の画面の褪色を防止するために自動的に移行されるスクリーンセイバーモードにおいて前記記憶手段に記憶されている情報データを前記表示部にスクロール表示する表示制御手段を設けたところに特徴を有する（請求項１の発明）。
【０００６】
これによれば、表示部を有する携帯電話機は、基地局の送信手段から送信されたニュース等の情報データを、受信手段により受信し、記憶手段に記憶する。そして、携帯電話機のスクリーンセイバーモードにおいて、表示制御手段により、その情報データが表示部にスクロール表示されるようになる。従って、表示部の画面を情報データがスクロール表示されることにより、スクリーンセイバーの機能が果たされ、このとき、使用者が表示部の画面を見ることにより、ニュース等の情報を知ることができる。
【０００７】
この結果、本発明の請求項１の通信システムによれば、携帯電話機の表示部のスクリーンセイバーの機能を果たしながらも、その使用者にとって役に立つ情報を供給することができるという優れた効果を奏するものである。
【０００８】
この場合、基地局側にて、地域のニュースや天気予報、交通情報、イベント情報等の、該当するエリアに則した情報データを送信するように構成することが望ましい（請求項２の発明）。これによれば、使用者がいるエリアに則したより有益な情報を知らせることができる。
【０００９】
携帯電話機にて情報データを受信するタイミングとして、電源オン時に受信手段により情報データを受信するように構成することができる（請求項３の発明）。これによれば、携帯電話機の電源を長くオフしていて記憶手段に記憶された情報データが古くなっていた場合でも、電源オン時に最新の情報データを取込むことができ、使用者は最新の情報を知ることができる。
【００１０】
また、前記携帯電話機を、エリア移動に伴う位置登録変更時に受信手段により情報データを受信するように構成しても良い（請求項４の発明）。これによれば、移動したエリアにおける情報データを常に取込むことができ、使用者は常に現在いるエリアに則した情報を知ることができるようになる。
【００１１】
ところで、例えば隣合うエリアの基地局が存在する所では、前記携帯電話機は、双方の基地局から情報データを得るように構成することができる（請求項５の発明）。
【００１２】
そして、情報データは極力新しいものが望まれるため、基地局から送信される情報データを一定時間毎に最新のものに切換える構成とすることができ、このとき、携帯電話機を、一定時間毎に情報データを受信するように構成することができる（請求項６の発明）。これにより、常に最新の情報データを受信することができるようになる。
【００１３】
あるいは、基地局から送信される情報データを、所定の時刻に最新のものに切換える構成とすると共に、携帯電話機を、その切換時刻に対応した時刻に情報データを受信するように構成しても良い（請求項７の発明）。これによっても、常に最新の情報データを受信することができるようになる。
【００１４】
さらには、携帯電話機の表示制御手段を、使用者の操作に基づいて表示部の情報データをスクロール表示を任意の位置で停止できるように構成することが望ましく（請求項８の発明）、これにて、使用者は、特に知りたい情報を、スクロールを停止させた状態でじっくり見ることができるようになる。
また、本発明の携帯電話機は、自らの存在する基地局のエリアを認識し受信周波数を自動で切換える手段と、前記基地局から送信されたニュース等の情報データを受信する受信手段と、その情報データを記憶する記憶手段と、電話番号や各種のメッセージを表示する表示部と、待ち受け状態において所定時間キー操作がなされないときに前記表示部の画面の褪色を防止するためのスクリーンセイバーモードに自動的に移行し、そのスクリーンセイバーモードにおいて前記記憶手段に記憶されている情報データを前記表示部にスクロール表示する表示制御手段とを備えている（請求項９の発明）。
【００１５】
【発明の実施の形態】
以下、本発明を携帯電話（移動電話）のシステムに適用した一実施例（請求項１，２，３，５，６，８に対応）について、図面を参照しながら説明する。まず、図２は、本実施例に係る通信システム（移動電話システム）の構成を概略的に示している。ここで、この通信システムは、多数のシステム加入者（使用者）が所持する通信端末機たる携帯電話機１、例えば都道府県等を単位としたエリア（エリアＡ１，Ａ２の２個のみ図示）毎に設けられた複数の基地局２（２個のみ図示）、これら基地局２が接続される通信制御局３を備えて構成されている。
【００１６】
前記通信制御局３は、図示はしないが、ホストコンピュータを備え、前記携帯電話機１間の回線の接続（交換）や、基地局２の制御、課金処理等の通信システム全体の制御、管理を行うようになっている。また、この通信制御局３は、ネットワークを介して他の通信事業者の通信システムや各種のシステム等に接続されている。
【００１７】
前記基地局２は、通信制御装置４を備え、エリア内に存在する携帯電話機１に電波により接続されるようになっており、アンテナ１９を介してそれら携帯電話機１に対する通信制御を行うようになっている。このとき、基地局２は、該当エリア内に位置登録要求信号を常時間欠的に送信し、その信号を受信した携帯電話機１から返信される位置登録信号に基づいて、その携帯電話機１が該当エリアに存在する旨の位置登録を行うようになっている。そして、詳しくは後述するように、各基地局２は、情報データを送信するための送信手段５を備えている。
【００１８】
また、図３は前記携帯電話機１の外観構成を示し、図４は携帯電話機１の電気的構成を概略的に示している。図３に示すように、携帯電話機１の本体６は、携帯可能な大きさの縦長形状をなし、その表面部には、上部に位置して表示部７が設けられていると共に、その下側に位置してキー操作部８が設けられている。さらに、前記本体６の表面部には、下端部に位置して送話音を入力するためのマイクロホン９が設けられ、前記表示部７の上部に位置して音声を出力するためのスピーカ１０が設けられている。本体６の上端部には、通信（通話）用のアンテナ１１が引き出し可能に設けられている。
【００１９】
詳しい説明は省略するが、前記キー操作部８には、電源キー８ａ、開始キー８ｂ、リダイヤルキー８ｃ、カーソルキー８ｄ、数字や文字に対応した複数個のダイヤルキー８ｅ、ファンクションキー８ｆ等の多数個のキーが設けられている。また、前記表示部７は、例えば漢字表示が可能なＬＣＤからなり、電話番号や各種のメッセージ等が表示されるようになっている。
【００２０】
一方、図４に示すように、前記本体６内には、マイコン等から構成され全体の制御を行う制御回路１２が設けられていると共に、この制御回路に接続された送受信部１３、データ変換部１４、音声処理部１５が設けられている。前記音声処理部１５には、前記マイクロホン９及びスピーカ１０が接続されていると共に、前記データ変換部１４が接続され、このデータ変換部１４に前記送受信部１３が接続され、この送受信部１３に前記アンテナ１１が接続されている。
【００２１】
また、前記制御回路１２には、前記キー操作部８の操作信号がキー操作検出部１６を介して入力されるようになっていると共に、この制御回路１２が表示制御部１７を介して前記表示部７の表示を制御するようになっている。そして、この制御回路１２には、メモリ１８が接続されている。このメモリ１８には、通信（通話やメールの送受信）に係る制御プログラムが記憶されると共に、メモリダイヤルデータなどの各種データが記憶されるようになっている。このとき、後述するように、このメモリ１８は、情報データを記憶する記憶手段としても機能するようになっている。
【００２２】
このような構成により、携帯電話機１の使用者が発信操作を行ってダイヤル信号が発信されると、その携帯電話機１が存在しているエリアの基地局２を介して、そのダイヤル信号が通信制御局３に送られ、通信制御局３は、発信先の携帯電話機１に対して該携帯電話機１が存在しているエリアの基地局２を介して呼出し信号を送り、その発信先（着信側）の携帯電話機１にて着信操作が行われると、回線を接続して通話（通信）を可能とするようになっている。
【００２３】
そして、携帯電話機１の通話時においては、アンテナ１１で受信した信号が送受信部１３により通信データに変換され、その通信データがデータ変換部１４により音声データに変換され、その音声データが音声処理部１５により送話信号としてスピーカ１０から出力されるようになっている。これと共に、マイクロホン９から入力される受話信号が、音声処理部１５により音声データに変換され、その音声データがデータ変換部１４により通信データに変換され、その通信データが送受信部１３により送信信号に変換されてアンテナ１１から出力されるようになっている。
【００２４】
また、詳しい説明は省略するが、この携帯電話機１は、メール（文字メッセージデータ）を他の携帯電話機１に送ったり、受信された文字メッセージを表示部７に表示するメールの送受信の機能（現在「プチメール」や「スカイウォーカー」等と称されている機能）も備えて構成されている。尚、この携帯電話機１においては、待ち受け状態において、所定時間キー操作がなされないときには、画面の褪色を防止するためのスクリーンセイバーモードに自動的に移行されるようになっている。
【００２５】
さて、前記基地局２は、前述のように、通信制御を行う機能の他に、情報データを送信するための送信手段５（図２参照）を備えている。この場合、基地局２は、該当地域の最新のニュースや天気予報、交通情報、イベント情報などのエリア（地域）に則した情報データを例えば新聞社等から収集し、送信手段５は、その情報データ（文字データ）を所定周波数の電波からなる送信信号に変換し、一単位の情報データをアンテナ１９から該当するエリア内に何度も繰返し送信するようになっている。
【００２６】
このとき、本実施例では、送信手段５により送信される情報データは、一定時間毎（例えば１時間毎）に最新のものに切換えられるようになっている。また、図２に示したエリアＡ１，Ａ２のように、少なくとも隣り合うエリアの基地局２間では、混信を避けるために、互いに異なる周波数の電波を用いて情報データの送信が行われるようになっている。
【００２７】
これに対し、図４に示すように、前記携帯電話機１は、前記アンテナ１１により前記基地局２からの情報データ（送信信号）を受信するようになっていると共に、その受信信号を送受信部１３及びデータ変換部１４により情報データ（文字データ）に変換するようになっている。従って、これらアンテナ１１並びに送受信部１３及びデータ変換部１４から受信手段が構成され、このとき、前記制御回路１２は、その制御を行うようになっている。
【００２８】
後のフローチャート説明でも述べるように、本実施例では、制御回路１２は、そのソフトウエア構成により、携帯電話機１のキー操作部８の電源キー８ａが操作されて電源がオンされたときに、前記情報データを受信し、その情報データを前記メモリ１８に記憶（更新）するようになっている。そして、携帯電話機１がスクリーンセイバーモードとなったときに、メモリ１８に記憶されている情報データを、表示部７にスクロール表示するようになっている。従って、制御回路１２が、表示制御手段として機能するようになっている。
【００２９】
さらに、本実施例では、携帯電話機１の電源オン中には、前回の情報データの受信から、前記基地局２における情報データの切換え間隔と同等の一定時間毎に、情報データが受信されるようになっている。従って、常に最新の情報データが受信されてメモリ１８に記憶されるようになっているのである。
【００３０】
また、本実施例では、情報データが表示部７にスクロール表示されているときに、キー操作部８の所定のキー操作（例えばリダイヤルキー８ｃのオン操作）がなされたときには、一定時間（例えば数秒間）表示をその状態で停止させることができるようになっている。さらには、表示を停止させた上で、カーソルキー８ｄを操作するにより、表示を一行毎に進めたり戻したりすることができるようになっている。
【００３１】
次に、上記構成の作用について、図１及び図５も参照して説明する。図１のフローチャートは、携帯電話機１の制御回路１２が実行する情報データの受信，表示に係る処理の手順を示している。ここで、携帯電話機１の電源がオンされると、まず、ステップＳ１にて位置登録が行われる。この位置登録は、その携帯電話機１が存在するエリアの基地局２から送信された位置登録要求信号を受信し、基地局２に対し位置登録信号を返信することに基づいて行われる。
【００３２】
またこのとき、携帯電話機１（制御回路１２）は、自らが現在どの基地局２のエリアに存在するかを認識し、情報データの受信周波数を自動設定することができる。例えば隣合うエリアの基地局２が存在する所では、双方の基地局２（周辺基地局）から情報データを得るように構成することもできる。
【００３３】
次のステップＳ２では、基地局２から常時送信されている情報データの受信が行われる。この情報データの受信は、上述のようにアンテナ１１並びに送受信部１３及びデータ変換部１４によって行われ、一単位の情報データの受信が完了すれば受信動作が停止される。そして、ステップＳ３では、受信した情報データがメモリ１８に記憶（更新）される。この場合、メモリ１８に以前の情報データが記憶されているときには、その古いデータは消去される。
【００３４】
ステップＳ４では、前回情報データを受信してから一定時間（例えば１時間）が経過したかどうかが判断され、一定時間経過していれば（Ｙｅｓ）、ステップＳ２に戻って、再度情報データの受信及び記憶が実行される。このとき、上述のように、基地局２から送信される情報データは、一定時間（例えば１時間）毎に最新のものに切換えられるので、常に最新の情報データが受信されてメモリ１８に記憶されるのである。
【００３５】
このようにして、基地局２からの情報データの受信，記憶が行われると、次のステップＳ５では、携帯電話機１がスクリーンセイバーモードにあるかどうかが判断される。スクリーンセイバーモードにないときには（Ｎｏ）、他の処理が実行される（ステップＳ６）。この場合、詳しい説明は省略するが、他の処理とは、通話、メールの通信、メモリダイヤルの入力操作などの各種の操作時を含み、夫々の処理が実行される。
【００３６】
一方、待ち受け状態において、所定時間キー操作がなされないときにはスクリーンセイバーモードに自動的に移行されるのであるが（ステップＳ５にてＹｅｓ）、このスクリーンセイバーモードでは、ステップＳ７にて、前記メモリ１８に記憶されている情報データが読出されて表示部７の画面にスクロール表示される。図５は、情報データが表示された表示部７の画面の一例を示しており、そのエリアの地域に則した情報、例えば東海地方の天気予報の情報データがスクロール表示されるのである。この情報データのスクロール表示は、スクリーンセイバーモードである限り繰返し行われる。
【００３７】
これにて、情報データが表示部７の画面にスクロール表示されることにより、画面の褪色を防止するスクリーンセイバーの機能が果たされ、このとき、使用者が表示部７の画面を見ることにより、使用者がいる地域に則したニュース等の有益な情報を知ることができるのである。しかも、この情報データは、１時間毎に最新のものに切換わるので、使用者は、新聞を読んだりテレビ，ラジオのニュースを聞いたりするのと同様に、最新の情報を知ることができるのである。
【００３８】
また、このように情報データが表示部７の画面にスクロール表示されているときには、キー操作部８の所定のキー操作（例えばリダイヤルキー８ｃのオン操作）があれば（ステップＳ８にてＹｅｓ）、スクロールが一定時間（例えば数秒）停止されるようになっている（ステップＳ９）。従って、使用者が特に知りたい情報が表示されているとき等に、所定のキー操作を行えば、スクロール表示を止めてじっくりと表示部７の情報データを見ることができるようになるのである。この停止表示は一定時間で終了し、その後は自動的にスクロール表示に戻るようになる。
【００３９】
このように本実施例によれば、携帯電話機１のスクリーンセイバーモードにおいて、表示部７に情報データがスクロール表示されることにより、スクリーンセイバーの機能が果たされ、このとき、従来のようなアニメーション的な動きを行うだけのものではなく、ニュース等の情報データが表示されるので、使用者にとって役に立つ情報を得ることができる。特に本実施例では、地域のニュースや天気予報、交通情報、イベント情報等の該当するエリアに則したより有益な情報データを知ることができるメリットを得ることができる。
【００４０】
しかも、従来の情報サービス等と異なり、使用者側から電話を掛けるといった手間がいらず、また通話料等も不要なので、使用者にとって極めて好都合なものとなる。そして、基地局２毎に情報データを送信する電波の周波数が異なるが、通信端末機１は、基地局２からの位置登録要求信号に応じて受信周波数を自動で切換えるので、使用者の操作なども不要に済ませることができる。
【００４１】
また、本実施例では、携帯電話機１の電源オン時に情報データを受信し、また、基地局２から送信される情報データを一定時間毎に最新のものに切換えると共に携帯電話機１側では一定時間毎に情報データを受信するように構成したので、使用者は常に最新の情報を知ることができる。さらには、使用者が特に知りたい情報が表示されているとき等に、所定のキー操作を行えば、表示部７のスクロール表示を止めてじっくりと情報データを見ることができるといった利点も得ることができる。
【００４２】
尚、上記実施例では説明を省略したが、携帯電話機１はエリア移動を伴うものであり、エリアを移動した際には、その都度該当するエリアの基地局２に対する位置登録を行うようになっている。そこで、携帯電話機１を、エリア移動に伴う位置登録変更時に情報データを受信するように構成しても良く、これにより、移動したエリアにおける情報データを常に取込むことができ、使用者は常に現在いるエリアに則した情報を知ることができるようになる。
【００４３】
また、上記実施例では、基地局２側で一定時間毎に情報データを最新のものに切換え、携帯電話機１側で一定時間毎に受信する構成としたが、時計機能を有する携帯電話機１にあっては、基地局２から送信される情報データを、１日のうちの所定の時刻に最新のものに切換える構成とすると共に、携帯電話機１側で、その切換時刻に対応した時刻に情報データを受信するように構成しても良く、これによっても、常に最新の情報データを受信することができるようになる。
【００４４】
その他、例えばスクリーンセイバーモードにおいて、上記したような情報データのスクロール表示と、従来と同様のアニメーションの表示との切換えを所定のキー操作により行うことができるように構成しても良く、また、情報データとしては全国版のニュース等であっても良い等、本発明は要旨を逸脱しない範囲内で適宜変更して実施し得るものである。
【図面の簡単な説明】
【図１】本発明の一実施例を示すもので、携帯電話機における情報データの受信，表示の手順を示すフローチャート
【図２】通信システムの構成を概略的に示す図
【図３】携帯電話機の外観を示す正面図
【図４】携帯電話機の電気的構成を概略的に示すブロック図
【図５】表示部の表示の一例を示す図
【符号の説明】
図面中、１は携帯電話機（通信端末機）、２は基地局、３は通信制御局、４は通信制御装置、５は送信手段、６は本体、７は表示部、８はキー操作部、１１はアンテナ、１２は制御回路（表示制御手段）、１８はメモリ（記憶手段）、１９はアンテナ、Ａ１，Ａ２はエリアを示す。
【図１】
0004055272.tif 000002
【図２】
0004055272.tif 000003
【図３】
0004055272.tif 000004
【図４】
0004055272.tif 000005
【図５】
0004055272.tif 000006